(57)【要約】【課題】省スペース化を図った上で効率良く害虫を捕獲できるようにする。【解決手段】飼育室１３には循環ファン３１により冷風または温風が循環される循環路Ｗが形成される。飼育室１３の天井部の一隅、すなわち循環路Ｗの途中位置に虫捕獲装置４０が設置される。同装置４０は、ケーシング４１の底面上に、石鹸水ＳＷが張られた捕獲パン６０が載置されるとともに、その上方に透明プレート７０が支持される。透明プレート７０はアクリル樹脂製で、突当板７１が循環流に正対する。天井面１３Ａには、ＬＥＤ基盤８４に設けられた紫外線ＬＥＤ８２、白色光ＬＥＤ８３とが突当板７１を指向して配される。室内に発生した飛翔性の害虫Ｆは、ＬＥＤ８２，８３、さらには透明プレート７０からの発光に誘われ、また循環流に乗って飛び、突当板７１に衝突したのち捕獲パン６０の石鹸水ＳＷ中に落下して捕獲される。【選択図】図３
2007289007.tif 000002
【特許請求の範囲】
【請求項１】
断熱箱体からなる保存庫本体内には、庫内空気を冷却及び/又は加熱する熱交換器と、この熱交換器で熱交換された空気を保存庫本体内に循環させる循環ファンとが設けられるとともに、前記保存庫本体内における上部位置でかつ前記循環ファンからの風の吹き出し方向とほぼ対向した位置に虫捕獲装置が設けられていることを特徴とする保存庫。
【請求項２】
前記虫捕獲装置は、誘虫用光源の下方に水を張った捕獲パンを配してなることを特徴とする請求項１記載の保存庫。
【請求項３】
前記虫捕獲装置における前記誘虫用光源の下方には、透明プレートが前記循環ファンからの風の吹き出し方向とは正対する姿勢で設けられていることを特徴とする請求項２記載の保存庫。
【請求項４】
前記誘虫用光源は紫外線を発光するものであり、かつ前記透明プレートはアクリル樹脂からなることを特徴とする請求項３記載の保存庫。
【請求項５】
前記虫捕獲装置における前記捕獲パンは、ケーシングの底面上に載置される一方、前記透明プレートは前記ケーシング内における前記捕獲パンの上方に支持されており、かつ前記ケーシングの手前側の面には前記捕獲パンが出し入れ可能な出入口が、前記循環ファンからの風の吹き出し方向と対向した面には虫が通過可能な窓孔がそれぞれ開口されていることを特徴とする請求項３または請求項４記載の保存庫。
【請求項６】
前記ケーシングの上部位置には、前記誘虫用光源が取付可能となっていることを特徴とする請求項５記載の保存庫。
【請求項７】
前記虫捕獲装置の前記捕獲パン内には石鹸水が張られていることを特徴とする請求項２ないし請求項６のいずれかに記載の保存庫。
【発明の詳細な説明】
【技術分野】
【０００１】
本発明は、昆虫や小動物の飼育、植物の育成、生鮮食品の貯蔵等に用いて好適な保存庫に関する。
【背景技術】
【０００２】
従来、この種の保存庫の一例として植物育成貯蔵庫が知られている（例えば、特許文献１参照）。このものは、閉鎖された空間内に、空調装置により生成した冷風または温風を庫内に供給することによって、庫内を植物の育成に適した温度に維持するものである。一方、この種の育成貯蔵庫では、小バエ等の飛翔性害虫が発生しやすいのであるが、閉鎖空間であって逃げ場がないために、内部に虫捕獲装置を設けている。
【特許文献１】特開２００４−８１１００公報
【発明の開示】
【発明が解決しようとする課題】
【０００３】
上記従来例のものは、虫捕獲装置が、直管型蛍光ランプの下方に粘着シートを備えた補虫部を配した構造であって、これらを複数準備して、植物トレイを載せた各棚の下面や、各棚の側方に設けた構造となっていたが、虫捕獲装置の配設スペースに多くを要する割には捕獲効率が悪く、また粘着シートを交換することも煩わしいという問題があり、さらなる改良が切望されていた。  
本発明は上記のような事情に基づいて完成されたものであって、その目的は、省スペース化を図った上で効率良く害虫の捕獲ができるようにするところにある。
【課題を解決するための手段】
【０００４】
上記の目的を達成するための手段として、請求項１の発明は、断熱箱体からなる保存庫本体内には、庫内空気を冷却及び/又は加熱する熱交換器と、この熱交換器で熱交換された空気を保存庫本体内に循環させる循環ファンとが設けられるとともに、前記保存庫本体内における上部位置でかつ前記循環ファンからの風の吹き出し方向とほぼ対向した位置に虫捕獲装置が設けられているところに特徴を有する。  
請求項２の発明は、請求項１に記載のものにおいて、前記虫捕獲装置は、誘虫用光源の下方に水を張った捕獲パンを配してなるところに特徴を有する。
【０００５】
請求項３の発明は、請求項２に記載のものにおいて、前記虫捕獲装置における前記誘虫用光源の下方には、透明プレートが前記循環ファンからの風の吹き出し方向とは正対する姿勢で設けられているところに特徴を有する。  
請求項４の発明は、請求項３に記載のものにおいて、前記誘虫用光源は紫外線を発光するものであり、かつ前記透明プレートはアクリル樹脂からなるところに特徴を有する。
【０００６】
請求項５の発明は、請求項３または請求項４に記載のものにおいて、前記虫捕獲装置における前記捕獲パンは、ケーシングの底面上に載置される一方、前記透明プレートは前記ケーシング内における前記捕獲パンの上方に支持されており、かつ前記ケーシングの手前側の面には前記捕獲パンが出し入れ可能な出入口が、前記循環ファンからの風の吹き出し方向と対向した面には虫が通過可能な窓孔がそれぞれ開口されているところに特徴を有する。  
請求項６の発明は、請求項５に記載のものにおいて、前記ケーシングの上部位置には、前記誘虫用光源が取付可能となっているところに特徴を有する。  
請求項７の発明は、請求項２ないし請求項６のいずれかに記載のものにおいて、前記虫捕獲装置の前記捕獲パン内には石鹸水が張られているところに特徴を有する。
【発明の効果】
【０００７】
＜請求項１の発明＞
虫捕獲装置は、庫内の上部位置でかつ循環ファンからの風に対向して配されており、小バエ等の害虫は上方に昇るように飛ぶ性質を有していることに加え、循環ファンからの風に乗せられることによって、効率良く虫捕獲装置に向けて集められて捕獲される。結果、虫捕獲装置を設置するスペースを最小限に抑えながらも、効率良く害虫を捕獲することができる。  
＜請求項２の発明＞
害虫は、さらに誘虫用光源に反応して虫捕獲装置に向けて飛翔し、誘虫用光源やその周囲の部材にぶつかる等したのち、捕獲パンに張られた水中に落下して捕獲される。より効率良く害虫を捕獲することができる。
【０００８】
＜請求項３の発明＞
害虫は、循環ファンからの風に乗りつつ誘虫用光源に向けて誘い込まれるが、同風の吹き出し方向と正対する姿勢で透明プレートが設置されているから、害虫はそのまま透明プレートに勢い良くぶつかって落下する可能性が高く、より多量に害虫を捕獲することができる。  
＜請求項４の発明＞
小バエ等の害虫は、紫外線により反応する。一方、紫外線がアクリル樹脂に照射されると可視光線に変わって発光し、透明プレートからは例えば鮮やかな黄色等で面発光する。害虫は同色も好んで集まる習性があるから、紫外線の放射と併せて、より多くの害虫を誘い込むことができる。
【０００９】
＜請求項５の発明＞
捕獲パンと透明プレートとがケーシングに収容されてアッセンブリ化されているから、取り扱いがしやすい。同アッセンブリを庫内に設置した場合には、害虫はケーシングの側面の窓孔を通して透明プレートにぶつかることで捕獲され、また捕獲された害虫を廃棄するには、捕獲パンをケーシングの手前側の出入口から出し入れすればよい。すなわち、害虫の捕獲機能を十分に果たし、また害虫の廃棄作業も簡単に行うことができる。  
＜請求項６の発明＞
誘虫用光源を含めてアッセンブリ化できるから、さらに取り扱いがしやすくなる。  
＜請求項７の発明＞
石鹸水としたことで表面張力が減少され、捕獲パンに落下した害虫をより確実に溺死させて捕獲することができる。
【発明を実施するための最良の形態】
【００１０】
以下、本発明の実施形態を添付図面に基づいて説明する。  
＜実施形態１＞
本発明の実施形態１を図１ないし図５によって説明する。本実施形態の保存庫は、昆虫や小動物等を飼育する飼育庫として使用する場合を例示している。  
保存庫は、図１及び図２に示すように、保存庫本体（以下、単に本体１０という）の下部に背の低い機械室２４を設けた構造であって、機械室２４の底面に配された脚１１とキャスタ１２によって支持されている。本体１０は前面開口の断熱箱体によって形成され、内部が飼育室１３とされるとともに、前面開口が出入口１４となって、同出入口１４にはガラス戸１５が引き違い形式の開閉可能に装着されている。飼育室１３内には複数段にわたって棚網１６が装着されるようになっている。
【００１１】
本体１０の下部には、冷却器室１７が形成されている。冷却器室１７の上面壁２３の手前側の位置には吸込口１８が、奥側には吹出口１９がそれぞれ開口されているとともに、冷却器室１７内には、冷却器２０（蒸発器）と庫内ファン２１が前後に並んで設置されている。一方、機械室２４には圧縮機２５、凝縮器ファン２６付きの凝縮器２７等からなる冷凍装置３０が設置されており、この冷凍装置３０と冷却器２０が冷媒配管２９により循環接続されて周知の冷凍サイクルが構成されている。
【００１２】
また、図１に示すように、飼育室１３の天井部における正面から見た右隅には循環ファン３１が取り付けられており、この循環ファン３１を駆動することにより、同図の矢線ａに示すように、庫内空気が天井面に沿って左方に、左側面に沿って下方に、底面に沿って右方に、右側面に沿って上方に循環流通するといった循環路Ｗが構成されるようになっている。さらに、冷却器の近傍にはヒータ２２が装備されている。また、吸込口１８と吹出口１９の庫内側の開口部にはフィルタ（図示せず）が着脱可能に取付られており、冷却器室１７内への害虫Ｆや異物の混入を防止している。
【００１３】
冷却運転時には、冷凍装置３０（圧縮機）並びに庫内ファン２１が駆動されると、図２の矢線ｂに示すように、飼育室１３の手前側の下部の空気が吸込口１８から冷却器室１７内に引かれ、冷却器２０を同図の前側から後側に通過する間に熱交換により冷風が生成され、その冷風は吹出口１９から飼育室１３の天井面１３Ａに向けて吹き出されたのち正面側に向けられるように循環流通される。それとともに、循環ファン３１の駆動に伴い、冷風が上記した循環路Ｗに沿って循環流通され、飼育室１３内が冷却される。
【００１４】
一方、加熱運転時には、冷凍装置３０に代わってヒータ２２への通電が行われるとともに庫内ファン２１が駆動され、これにより庫内側から引かれた空気がヒータ２２を通過する間に温風が生成され、この温風が、図２の矢線ｂ方向に示すように循環流通するとともに、循環ファン３１の駆動に伴い、温風が併せて循環路Ｗに沿って循環流通され、飼育室１３内が加熱されるようになっている。
【００１５】
なお、詳しい説明は省略するが、保存庫本体１０内には庫内温度を制御する温度制御装置が装備されており、庫内温度センサ３２により、予め定められた設定温度よりも高く検知されると冷却運転が実行され、逆に設定温度よりも低くなると加熱運転が実行され、庫内がほぼ設定温度に維持されるようになっている。飼育庫として使用する場合、庫内の設定温度は、例えば１５℃〜２５℃の範囲内で任意に設定される。温度制御は、サーモスタット制御やマイコン制御が適用される。
【００１６】
ところで、詳しくは後記するように、この種の飼育室１３内には飛翔性害虫Ｆ（図３参照）が発生することが避けられない。そこで、飼育室１３の天井部における左隅の位置、言い換えると、上記した循環ファン３１とは対向した位置には、飼育室１３内で発生した害虫Ｆを捕獲する虫捕獲装置４０が設けられている。虫捕獲装置４０は大まかには、図３及び図４に示すように、ケーシング４１の底板４２上に捕獲パン６０が載置されるとともに、その上方に透明プレート７０が支持されてアッセンブリ化され、このアッセンブリが上記の左隅の位置に取り付けられており、また、誘虫用光源ユニット８０が、透明プレート７０の上方に位置して天井面１３Ａに取り付けられている。
【００１７】
詳細には、図５にも示すように、ケーシング４１はステンレス鋼板等の金属板製であって、底板４２の左右両側縁から側板４３，４４を立ち上げた断面略チャンネル形で、飼育室１３の奥行の８割強の奥行を有している。ケーシング４１の左側板４３は背が低く、これに対して右側板４４は、左側板４３の３倍程度に背が高く形成されている。右側板４４は、上記した循環ファン３１によって構成される循環路Ｗと正対するように配され、その中央高さ部分には、多数の縦向きのスリットを並べてなる窓孔４４Ａがほぼ全幅にわたって形成されている。
【００１８】
右側板４４の上縁には、外方に直角曲げされた上部レール受け４５が、左側板４３の上縁には、外方に狭い門形に曲げ形成された下部レール受け４６がそれぞれ形成されている。また、底板４２の奥縁における幅方向の中央部からは、取付板４７が立ち上がり形成されている。  
一方、飼育庫おける虫捕獲装置４０の配設位置には、浅いクランク状に曲げ形成されたアッパレール４８が、天井面上で奥行方向に沿った姿勢で取り付けられているとともに、同様の形状のサイドレール４９が、左側面上で奥行方向に沿った姿勢で取り付けられている。
【００１９】
そしてケーシング４１は、右側板４４の上部レール受け４５をアッパレール４８の段差部４８Ａに、また左側板４３の下部レール受け４６をサイドレール４９の段差部４９Ａにそれぞれ挿入して、両レール４８，４９に沿って奥に押し込まれ、取付板４７が奥面１３Ｃに当たったところで停止されて、同取付板４７をねじ４７Ａで止めることにより固定されるようになっている。  
これによりケーシング４１は、図２に示すように、飼育室１３の出入口１４から少し中に入った位置から奥面にわたって配され、上記したように、循環路Ｗの流通方向と正対した右側板４４に窓孔４４Ａが形成されているとともに、手前側の面が開口された状態にある。
【００２０】
ケーシング４１の底板４２上には、捕獲パン６０が前方からの出し入れ可能に載置されるようになっている。したがって、ケーシング４１における手前側の開口が、捕獲パン６０の出入口５１となる。捕獲パン６０は、透明または半透明の合成樹脂製であって、底板４２よりも一回り小さい平面形状で、角形の深皿状に形成されている。捕獲パン６０が底板４２上に載せられた場合、捕獲パン６０の上面は、ケーシング４１の左側板４３の上縁よりも少し下方位置にあり、また、右側板４４に設けられた窓孔４４Ａの下縁よりも下方に留まるようになっている。捕獲パン６０内には、石鹸水ＳＷが張られている。捕獲パン６０は上記のように透明または半透明であるから、出入口５１を通して、石鹸水ＳＷの残量や、後記するように捕獲された害虫Ｆの量が手前側から目視可能となっている。  
またケーシング４１の底板４２の中央部には、捕獲パン６０よりも一回り小さい透孔４２Ａが開口されている。
【００２１】
ケーシング４１内における捕獲パン６０の上方位置には、透明プレート７０が装着されている。この透明プレート７０はアクリル樹脂製であって、平面視クランク状をなし、窓孔４４Ａの奥行よりも少し短い奥行寸法と、窓孔４４Ａの高さと略等しい高さとを有している。より詳細には、奥行方向に沿って長い突当板７１を有し、その手前側の端縁には左向きに幅狭の支持板７２が、奥側の端縁には右向きに幅広の支持板７３がそれぞれ形成されている。手前側の支持板７２の下縁における先端部と、奥側の支持板７３の下縁における先端寄りの位置とには、それぞれ切欠溝７２Ａ、７３Ａが形成されている。  
一方、ケーシング４１の右側板４４における窓孔４４Ａの形成領域の奥端よりも少し手前の位置には、奥側の支持板７３が差込可能な縦向きの差込溝４４Ｂが形成されているとともに、左側板４３の下部レール受け４６の上縁における手前側の端部寄りの位置には、手前側の支持板７２の切欠溝７２Ａが差込可能な浅い差込溝４６Ａが形成されている。
【００２２】
したがって透明プレート７０は、奥側の支持板７３がケーシング４１の右側板４４の差込溝４４Ｂに差し込まれて、切欠溝７３Ａが差込溝４４Ｂの下縁に嵌められ、また手前側の支持板７２の切欠溝７２Ａが、左側板４３の下部レール受け４６の差込溝４６Ａに嵌められることで支持される。このとき透明プレート７０は、その突当板７１が窓孔４４Ａとほぼ同じ高さで、左側板４３よりも少し右側の位置で奥行方向に沿って配され、捕獲パン６０が底板４２上に載せられた際には、透明プレート７０の突当板７１が、捕獲パン６０における左側板より少し右側に入った位置で、捕獲パン６０の直上に配されることになる。
【００２３】
誘虫用光源ユニット８０は大まかには、ＬＥＤ８２、８３を並べて取り付けたＬＥＤ基盤８４を、取付用のブラケット９０に組み付けた構造となっている。ブラケット９０は透明な合成樹脂製であって、図３に示すように、取付板９１の幅方向の一縁から支持板９３が鋭角をなして折り返されて形成され、上記した捕獲パン６０の奥行方向の長さとほぼ同じ長さを有している。ブラケット９０は、取付板９３が飼育室１３の奥行方向に沿った姿勢で天井面１３Ａに当てられた際に、支持板９３が斜め右下方を向いた姿勢を取るようになっている。  
ブラケット９０の支持板９３の下端縁には、支持壁９５が立ち上がり形成され、その奥端にはストッパ板９６が内側に向けて張り出し形成されている。支持板９１の上面には、左側の折り返し部分９２と支持壁９５との間に、基盤ホルダ１００が挿通され、ストッパ板９６に当たって停止されるようになっている。
【００２４】
基盤ホルダ１００は、合成樹脂材の押し出し成形により帯状に形成され、幅方向の中央部の下面には、基盤収容溝１０１が形成されており、さらにこの基盤収容溝１０１内には、ＬＥＤ基盤８４が前面側からの出し入れ可能に挿入されている。  
ＬＥＤ基盤８４には、図示６個のＬＥＤ８２，８３が取り付けられている。ＬＥＤ８２，８３は、紫外線を発光（放射）する紫外線ＬＥＤ８２と白色光を発光する白色ＬＥＤ８３とが、３個ずつ備えられ、図４に示すように、ＬＥＤ基盤８４における長さ方向の中央部と両端部との都合３箇所において、紫外線ＬＥＤ８２と白色ＬＥＤ８３とが対をなして並んだ状態で装着されている。  
なお、ＬＥＤ基盤８４と電源スイッチ１１０からの配線（図示せず）は、奥壁に形成された挿通路を通して機械室２４に導かれており、また同配線の途中位置が庫内において分断されて、コネクタによって結合されている。
【００２５】
上記のように組み付けられた誘虫用光源ユニット８０は、ブラケット９０が飼育室１３の奥行方向に沿った姿勢を取った状態において、飼育室１３の天井面１３Ａにおけるケーシング４１の間口方向のほぼ中央部と対応した位置に取り付けられる。このとき各ＬＥＤ８２，８３の光軸Ｌが、透明プレート７０における突当板７１の中央高さ位置を指向する設定となっている。一方、ケーシング４１の前面の右上の隅部には電源スイッチ１１０が装着され、電源を投入すると、ＬＥＤ基盤８４に装着された各ＬＥＤ８２、８３が発光し、透明プレート７０を照射するようになっている。  
なお、透明プレート７０を構成するアクリル樹脂は、紫外線が照射されると、可視光線に変えて反射させる性質を有しており、したがって透明プレート７０に紫外線が照射されることで、透明プレート７０が面発光するように機能する。
【００２６】
続いて、本実施形態の使用例を説明する。昆虫や小動物等の被飼育物は、それぞれ適宜の飼育ケースＸに入れられ、棚網１６上に載せられて飼育室１３内に収納される。また、飼育する被飼育物に応じた最適の庫内温度が設定される。  
ここで一部既述したように、飼育室１３内には飛翔性の害虫Ｆが発生することが避けられない。害虫Ｆは、例えばキノコバエやショウジョウバエ等の小バエであり、飼育ケースＸに入れられた腐葉土や餌に卵が産み付けられて繁殖する。
【００２７】
そこで、保存庫（飼育庫）の稼働時には、電源スイッチ１１０をオンして、誘虫用光源ユニット８０に設けられたＬＥＤ８２，８３を点灯する。これにより紫外線や白色光が発光し、ケーシング４１の右側板４４の窓孔４４Ａからは循環流とは正対する向きに透過して散光し、また底板４２の透孔４２Ａからは、捕獲パン６０と石鹸水ＳＷを透過して下方周辺に散光する。また、紫外線が透明プレート７０の突当板７１に照射されることで突当板７１が面発光し、同発光も窓孔４４Ａや透孔４２Ａを通して散光する。
【００２８】
一方、発生した害虫Ｆは飼育ケースＸから出た後、その性質から上方に向けて不規則に飛び、引き続いて誘虫用光源ユニット８０からの紫外線の発光に反応して、同ユニット８０に向かうようにさらに上昇する。天井面１３Ａ付近まで昇ると、そこには天井面１３Ａに沿うようにして循環ファン３１による循環流が流れているから、害虫Ｆは、同循環流に乗りつつ、最も発光が顕著な透明プレート７０の突当板７１付近に向けて飛ぶことになり、ケーシング４１の右側板４４の窓孔４４Ａを通って内部に入り、ついには突当板７１に勢い良くぶつかって、捕獲パン６０内に落下する。捕獲パン６０には石鹸水ＳＷが張られており、石鹸水ＳＷを用いたことで表面張力が減少しているから、害虫Ｆは溺死しやすく、確実に捕獲される。
【００２９】
捕獲パン６０は透明または半透明であるから、手前側から捕獲量が目視でき、捕獲量が相当量となったら、捕獲パン６０をケーシング４１の手前側の出入口５１から引き出して、石鹸水ＳＷとともに廃棄すればよい。  
上記のように害虫Ｆが減少するため、被飼育物に対するストレスが少なくなる等飼育環境が良くなり、また餌を頻繁に取り替える等の作業も緩和できる。
【００３０】
本実施形態によれば、以下のような数々の利点を得ることができる。  
飛翔性の害虫Ｆは、虫捕獲装置４０における誘虫用光源からの紫外線を含む発光に反応して集められ、捕獲パン６０に張られた石鹸水ＳＷ中に落下して捕獲される。ここで虫捕獲装置４０は、飼育室１３の天井部の一隅において、循環ファン３１により形成される循環路Ｗ内に配されているが、同害虫Ｆは上方に昇るように飛ぶ性質を有していることに加え、循環流に乗せられることによって、効率良く虫捕獲装置４０に向けて集められる。また虫捕獲装置４０には、透明プレート７０の突当板７１が、捕獲パン６０の上方において同循環流の流通方向と正対する姿勢で配されているから、害虫Ｆはそのまま突当板７１に勢い良くぶつかって捕獲パン６０に落下する可能性が高く、さらに捕獲パン６０には石鹸水ＳＷとしたことで表面張力が減少され、落下した害虫Ｆをより確実に溺死させて捕獲することができる。
【００３１】
端的には、１個の虫捕獲装置４０を飼育室１３の天井部の一隅に設置しただけの構造であって、省スペース化を図りながらも、効率良く害虫Ｆを捕獲することができる。また、天井部の隅部に配したのであるから、循環流の流れに影響を与えることも少ない。  
被飼育物、特にカブト虫やクワガタ等の昆虫にとっては、庫内の乾燥がダメージが大きいと言えるが、虫捕獲装置４０に装備された捕獲パン６０には石鹸水ＳＷが張られており、これが自然蒸発することで乾燥が緩和される。上記のように捕獲パン６０は透明または半透明であって、手前側から残量が目視できるから、補充も間違いなく行える。
【００３２】
捕獲パン６０と透明プレート７０とがケーシング４１に収容されてアッセンブリ化されているから、例えば庫内を掃除する場合には、捕獲パン６０を出入口５１から引き出したのち、ケーシング４１の取付板４７を止めていたねじ４７Ａを外して、ケーシング４１をレール４８，４９に沿って引き出すことで透明プレート７０ごと庫外に出すことができる。もって、庫内の掃除が簡単にできる。掃除終了後に再度設置する場合も、上記と逆の動作を行うことで簡単にできる。  
アッセンブリ化されていながらも、捕獲パン６０はケーシング４１の手前側の出入口５１から出し入れできるから、石鹸水ＳＷの補充作業と捕獲した害虫Ｆの廃棄作業も簡単に行うことができる。
【００３３】
誘虫用光源として紫外線ＬＥＤ８２と白色ＬＥＤ８３とを使用しており、特に紫外線を受けたアクリル樹脂製の透明プレート７０が全面発光するから、周囲が暗い場合等には庫内照明効果が良くなり、見栄えが向上する。  
小バエは紫外線に最も反応すると言えるが白色光にも反応し、また他の飛翔性害虫で白色光に反応しやすいものもいる。本実施形態では、紫外線ＬＥＤ８２と白色ＬＥＤ８３との２種類を準備して交互に配したから、広範囲の波長で発光（放射）することができ、多種類の飛翔性害虫に対して誘虫効果を発揮できる。また、ＬＥＤの半分の数を白色ＬＥＤ８３としたことで、紫外線の放射量を半分にでき、被飼育物や人体にも優しい光源となる。  
ＬＥＤ８２，８３は耐用寿命が蛍光ランプより長く、また消費電力も少ないから、維持費も抑えることができる。
【００３４】
＜実施形態２＞
図６は、本発明の実施形態２を示す。この実施形態２では、冷却器室１７の上面壁２３に設けられた吸込口１８Ａと吹出口１９Ａの形状が実施形態１とは異なっており、具体的には、吹出口１９Ａの開口面積が吸込口１８Ａのそれの半分程度に設定されている。なお図示はしないが、吸込口１８Ａと吹出口１９Ａとにはそれぞれフィルタが装備され、冷却器室１７内に害虫Ｆや他の異物が侵入することを防止するようになっている。また、実施形態１の循環ファン３１は除去されている。その他の構造については、実施形態１と同様であって、同一機能を有する部位については同一符号を付すことで、重複した説明は省略する。
【００３５】
実施形態２の作用は、以下のようである。庫内ファン２１（本発明の循環ファンに相当する）の駆動に伴って冷風または温風が循環される際、図６の矢線に示すように、吹出口１９Ａから吹き出された直後が最も風量が大きくて、奥面１３Ｃに沿って上昇し、適宜に拡散したのち吸込口１８Ａに吸い込まれるように循環し、特に吹出口１９Ａの開口面積が絞られていることで風が勢い良く吹き出される。  
発生した害虫Ｆは、概して上方に向けて飛ぶ性質があるが、下部側に留まっていた害虫Ｆも、吹出口１９Ａから勢い良く吹き出された風に巻き込まれるようにして、一気に天井付近まで移動する。天井付近では風の勢いが弱まっているから、今度は害虫Ｆは、誘虫用光源ユニット８０等からの発光に誘われて、虫捕獲装置４０に向かい、同様に透明プレート７０等に勢い良くぶつかって、捕獲パン６０内に落下して捕獲される。  
その他の作用並びに効果については、実施形態１と同様である。
【００３６】
＜実施形態３＞
図７は、本発明の実施形態３を示す。この実施形態３では、庫内ファン２１による冷風または温風の庫内循環方法が、実施形態１とは異なっている。  
すなわち冷却器室１７には、冷却器２０（ヒータ２２）と庫内ファン２１とが左右に並んで配される一方、冷却器室１７の上面壁２３の左端部に吸込口１８が、右端部に吹出口１９がそれぞれ開口されている。そのため、生成された冷風または温風は、同図の矢線に示すように、吹出口１９から飼育室１３の右側面１３Ｄに沿って上方に、天井面１３Ａに沿って左方に、左側面１３Ｂに沿って下方に流通して吸込口１８に向かう循環路Ｗが構成される。そのため、本実施形態３では、庫内ファン２１が本願の循環ファンに相当する。
そして実施形態１と同様に、虫捕獲装置４０が飼育室１３の天井部における左隅の位置に設置される。その結果、虫捕獲装置４０は、飼育室１３内の上部位置で、かつ循環路Ｗ内に設けられたことになる。上記実施形態１と同様の効果を得ることができる。
【００３７】
＜実施形態４＞
図８及び図９は、本発明の実施形態４を示す。この実施形態４では、主に虫捕獲装置４０におけるアクリル樹脂製の透明プレート１２０の形状と、ＬＥＤ基盤８４の配設構造に変更が加えられている。以下、上記実施形態１との相違部分を中心に説明し、実施形態１と同一機能を有する部位については、同一符号を付すことで重複した説明は省略または簡略化する。  
この実施形態４では、図８に示すように、捕獲パン６０の中に平面視十字形の透明プレート１２０が挿入されている。具体的には、捕獲パン６０の奥行方向の内面間寸法に相当する長さと、幅方向の内面間寸法に相当する長さとをそれぞれ持った長短２枚のプレート１２１，１２２が十字形に組まれた形状であって、捕獲パン６０の深さの２倍強の高さ寸法を有している。
【００３８】
透明プレート１２０は、図８に示すように、その下部側が捕獲パン６０内に緊密に嵌められ、上部側が捕獲パン６０の上面に突出するようになっている。そして、捕獲パン６０がケーシング４１の底板４２上に載置されると、透明プレート１２０の長寸側のプレート１２１の上部側が、右側板４４に設けられた窓孔４４Ａの内側に対応する位置に突出する設定となっている。  
一方、ＬＥＤ基盤８４は、飼育室１３の天井面１３Ａ側に配されるが、特に透明プレート１２０における長寸側のプレート１２１の直上位置において、奥行方向に沿って水平姿勢で配される。そのため、ＬＥＤ基盤８４に装着された紫外線ＬＥＤ８２と白色ＬＥＤ８３の光軸Ｌ１（図９）は真下を向いて、透明プレート１２０における長寸側のプレート１２１の上縁を指向した状態となる。
【００３９】
したがって、ＬＥＤ８２，８３が点灯すると、紫外線や白色光が発光するとともに、紫外線が透明プレート１２０に照射されることで面発光し、これらが、ケーシング４１の右側板４４の窓孔４４Ａからは循環流とは正対する向きに透過して散光し、また底板４２の透孔４２Ａからは、捕獲パン６０と石鹸水ＳＷを透過して下方周辺に散光し、飛翔性の害虫Ｆを誘い込むことができる。
【００４０】
＜実施形態５＞
図１０及び図１１は、本発明の実施形態５を示す。この実施形態５では、アクリル樹脂製の透明プレート１２５の形状と、その取付構造等にさらなる変更が加えられている。  
まず、ケーシング４１の右側板４４には、２つの大きな方形孔からなる窓孔４４Ｃが間隔を開けて形成されている。透明プレート１２５の形状は平面視略フォーク形とされ、幅方向に配置される支持板１２６と、奥行方向に配置される長い突当板１２７とが直交するように形成され、正面から見た左端寄りの位置において、それぞれに設けられた嵌合溝１２６Ｃ，１２７Ｃが互いに差し込まれて十字形に組み付けられる。なお、突当板１２７の前後両端には、左側に直角曲げされた前後の支持板１２８，１２９が形成される。  
ケーシング４１の右側板４４における両窓孔４４Ｃの間には、差込溝４４Ｄが形成されるとともに、左側板４３の下部レール受け４６には、前後両端部並びに中央部の都合３箇所に、差込溝４６Ａが形成されている。
【００４１】
そして、透明プレート１２５は、支持板１２６の右端が差込溝４４Ｄに差し込まれて、下縁の切欠溝１２６Ｂが差込溝４４Ｄの下縁に嵌められ、同支持板１２６の左端部下縁の切欠溝１２６Ａと、前後の支持板１２８，１２９の下縁の切欠溝１２８Ａ，１２９Ａが、それぞれ左側板４３の下部レール受け４６の対応する差込溝４６Ａに嵌められることで支持される。このとき透明プレート１２５は、その突当板１２７が窓孔４４Ｃとほぼ同じ高さで、左側板４３よりも少し右側の位置で奥行方向に沿って配され、捕獲パン６０が底板４２上に載せられた際には、透明プレート１２５の突当板１２７が、捕獲パン６０における左側板より少し右側に入った位置で、捕獲パン６０の直上に配されることになる。
【００４２】
この実施形態５では、透明プレート１２５が４箇所でもって、ケーシング４１に支持されることになるから、より安定した姿勢で支持することができる。また、ケーシング４１の右側板４４の窓孔４４Ｃが、大きく開口された２つの方形孔により形成されているから、循環路Ｗの循環流をスムーズに流通させることができるとともに、透明プレート１２５等からの光もより多く周囲に照射されることができ、もって循環流に乗って周囲に集まった害虫Ｆをより多く誘い込むことができる。
【００４３】
＜実施形態６＞
次に、本発明の実施形態６を図１２ないし図１４によって説明する。この実施形態６の虫捕獲装置２４０では、誘虫用光源ユニット１８０がケーシング２４１にさらに組み付けられてアッセンブリ化されている。  
ケーシング２４１は、アッパケース２４１Ａとロワケース２４１Ｂとを対角状に組み付けたものであって、両ケース２４１Ａ，２４１Ｂともに略アングル形をなしており、捕獲パン２６０と透明プレート２７０を取り囲むように組み付けられている（図１２参照）。
【００４４】
ケーシング２４１は、飼育室１３の内壁に直接に固着されるようになっている。ロワケース２４１Ｂは、上記実施形態５のケーシング４１と略同様の形状であり、右側板２４４には２つの方形孔からなる窓孔２４４Ａが形成されているが、手前側の窓孔２４４Ａの方が、若干幅狭に形成されている。両窓孔２４４Ａの間には、差込溝２４４Ｂが形成されている。なお、右側板２４４の上縁には、固定板２４５が直角曲げされて形成されている。左側板２４３は、捕獲パン２６０よりもやや低い高さとされているとともに、底板４２に開口された透孔４２Ａの奥縁の中央部には、ストッパ４２Ｂが立ち上がって形成されている。
【００４５】
一方のアッパケース２４１Ａは、略鉛直姿勢の支持板２４９の上縁から上面板２４７が突出形成されており、支持板２４９の下端部は、内方に向けて段差状に張り出している。上面板２４７は、基部側が断面山形に形成されているとともに、突出端側が水平姿勢を取ったのち直角に立ち上がった立ち上がり面２４６が形成されている。この立ち上がり面２４６は、上記したロワケース２４１Ｂの右側板２４４の上端部における裏面に当接されるようになっている。
【００４６】
上記した上面板２４７における山形部分のうち、突出端側に向けて下り勾配となった傾斜面２４７Ａの裾の部分には、誘虫用光源ユニット１８０が装備されるようになっている。誘虫用光源ユニット１８０は、薄い角筒状をなす透明な合成樹脂製のカバー１８１内に、上記した基盤ホルダ１００が挿入され、その基盤収容溝１０１内に、ＬＥＤ８２，８３が装着されたＬＥＤ基盤８４が前面側からの出し入れ可能に挿入された構造となっている。一方、傾斜面２４７Ａの裾の部分には、奥行方向のほぼ全長にわたって開口２４８が形成されている。  
誘虫用光源ユニット１８０は、図１２に示すように、開口２４８を覆うようにして傾斜面２４７Ａ上に載せられ、上面板２４７の水平面における奥行方向の中央部に設けられた弾性を有する押さえ板２５２で押さえられて保持される。
【００４７】
透明プレート２７０は、実施形態４における透明プレート１２５と略同様の形状であり、支持板２７６と突当板２７７とを組み合わせて形成され、支持板２７６が、突当板２７７における奥行方向の中央部よりも少し手前側に配されている点が相違している。また、捕獲パン２６０の手前側には取っ手２６１が設けられている。
【００４８】
虫捕獲装置２４０は、例えば以下のようにして設置される。まず、ロワケース２４１Ｂの差込溝２４４Ｂに対して、透明プレート２７０の支持板２７６が仮に深く差し込まれた状態とされる。この状態から、ロワケース２４１Ｂの固定板２４５が天井面１３Ａに当てられ、前後２箇所がねじ２４５Ａで固着される。  
次に、誘虫用光源ユニット１８０を装着した状態のアッパケース２４１Ａが挿入され、支持板２４９が、その下端の張り出し部２５１をロワケース２４１Ｂの左側板２４３の内側に入れつつ、左側面１３Ｂに当てられるとともに、上面板２４７の山の頂上を天井面１３Ａに当て、かつ立ち上がり面２４６が、ロワケース２４１Ｂの右側板２４４の裏面に当てられ、係る状態で支持板２４９の前後２箇所がねじ２４９Ａで固着される。
【００４９】
そうしたら、透明プレート２７０が支持板２４９に当たるまで差込溝２４４Ｂから引き出され、支持板２７６の下縁の切欠溝２７６Ｂが差込溝２４４Ｂの下縁に嵌められ、同支持板２７６の左端部の下縁、並びに前後の支持板２７８，２７９の下縁が、アッパケース２４１Ａの支持板２４９の段差部２５０において３箇所に切り込み形成された差込溝２５０Ａにそれぞれ嵌められて支持される。このとき、各ＬＥＤ８２，８３の光軸Ｌが、透明プレート２７０における突当板２７７の中央高さ位置を指向する設定となっている。  
そして、ロワケース２４１Ｂの底板４２上に、石鹸水ＳＷを張った捕獲パン２６０が載置され、ストッパ４２Ｂに当たるまで押し込まれる。  
この実施形態５では特に、誘虫用光源ユニット１８０をケーシング２４１に組み付けてアッセンブリ化したから、設置作業等がより簡単となる。
【００５０】
＜実施形態７＞
図１５は本発明の実施形態７を示す。この実施形態７では、虫捕獲装置１４０が棚網１６上に載置されるようになっている。  
捕獲パン１６０は、上記各実施形態と同様の構造であって、前後の側壁１６１，１６２の上縁における正面から見た左端寄りの位置には、嵌合溝１６１Ａ、１６２Ａが切り込み形成されている。  
この捕獲パン１６０に、透明プレート１７０が支持されている。透明プレート１７０は、捕獲パン１６０の奥行よりもやや大きい奥行を有し、鉛直姿勢をなす突当板１７１の上縁に、右斜め上方を向いた取付板１７２が形成された形状であって、突当板１７１の下縁の前後両端部が、嵌合溝１６１Ａ、１６２Ａに差し込まれて支持されている。
【００５１】
取付板１７２の下面には、ＬＥＤ８２，８３が配されたＬＥＤ基盤８４が取り付けられている。ＬＥＤ基盤８４は、取付板１７２とＬＥＤ基盤８４の双方に設けられた取付孔（図示せず）にクリップ１７５を挿通することで装着され、これを覆うように透明なＬＥＤカバー８５が取付られている。  
このような虫捕獲装置１４０が、透明プレート１７０の突当板１７１を循環路Ｗに正対させた姿勢において、最上段の棚網１６の左端部に載置されている。
【００５２】
この実施形態７でも、飛翔性の害虫Ｆは、ＬＥＤ８２，８３や透明プレート１７０からの発光に誘われ、また循環路Ｗの循環流に乗りつつ、透明プレート１７０の突当板１７１付近に向けて飛び、突当板１７１に勢い良くぶつかって捕獲パン１６０に張られた石鹸水ＳＷ中に落下し、捕獲される。  
実施形態７の虫捕獲装置１４０は、透明プレート１７０に直接ＬＥＤ基盤８４を装着して、かつこれを捕獲パン１６０に組み付けた構造であるから、上記各実施形態に示したケーシングを必要としない。したがって、部品点数が抑えることができてコストダウンを図ることができ、また棚網１６上に載せてあるだけであるから、出し入れが簡単にでき、掃除等を行う場合に便利である。
【００５３】
＜実施形態８＞
図１６及び図１７は、本発明の実施形態８を示す。  
この実施形態８の虫捕獲装置３４０は、捕獲パン３６０が棚網１６上に直接載置される一方、ＬＥＤ８２，８３を設けたＬＥＤ基盤８４は、棚網１６に掛止されるブラケット３７０に取り付けられる。ブラケット３７０は、鉛直板３７２の上縁に固定板３７３が一側に直角曲げされているとともに、同鉛直板３７２の下端部に、先端に鈎部３７４が形成された掛止板３７１が、反対側を向いた水平姿勢で固着されている。固定板３７３の下面には、ＬＥＤ基盤８４が下向きに取り付けられ、ＬＥＤカバー１８５で覆われている。
【００５４】
このように、ＬＥＤ基盤８４を取り付けたブラケット３７０が、掛止板３７１の鈎部３７４と、鉛直板３７２の下端部とを、棚網１６の隣り合う２本の棚棒１６Ａにわたって掛けられて取り付けられ、このブラケット３７０の鉛直板３７２の右側に寄った位置において、石鹸水ＳＷを張った捕獲パン３６０が載置される。このような構成になる虫捕獲装置３４０が、図１６に示すように、最上段の棚網１６の左右両端部に配設される。  
この実施形態８では、ＬＥＤ８２，８３の光が石鹸水ＳＷの水面で反射され、飛翔性の害虫Ｆは、同反射光に誘われ、また循環路Ｗの循環流に乗りつつ飛翔し、ブラケット３７０等に当たったのち捕獲パン３６０に張られた石鹸水ＳＷ中に落下し、捕獲される。
【００５５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）捕獲パンの水は、表面張力が弱まるものであれば石鹸水に限定されるものではなく、また水道水等の通常の水であってもよい。  
（２）透明プレートの材質は、アクリル樹脂以外の他の合成樹脂であってもよい。  
（３）上記実施形態では、紫外線ＬＥＤと白色ＬＥＤとを半数ずつ使用したが、その配分は任意であり、また全数紫外線ＬＥＤとしてもよい。  
（４）また誘虫用光源は、ＬＥＤに代えて蛍光ランプを用いてもよい。  
（５）害虫を誘い込む手段は、嗅覚に反応させるようにしてもよい。  
（６）本発明は、保存庫を、上記実施形態に例示した飼育庫に限らず、植物を育成する植物育成貯蔵庫や、生鮮食品を貯蔵する恒温高湿庫として使用する場合にも同様に適用することが可能である。
【図面の簡単な説明】
【００５６】
【図１】本発明の実施形態１に係る保存庫の正面図
【図２】同側断面図
【図３】虫捕獲装置の正面から見た断面図
【図４】同平断面図
【図５】同分解斜視図
【図６】実施形態２に係る保存庫の側断面図
【図７】実施形態３に係る保存庫の正面から見た断面図
【図８】実施形態４に係る虫捕獲装置の平断面図
【図９】その一部の分解斜視図
【図１０】実施形態５に係る虫捕獲装置の平断面図
【図１１】その一部の分解斜視図
【図１２】実施形態６に係る虫捕獲装置の正面から見た断面図
【図１３】同平断面図
【図１４】同分解斜視図
【図１５】実施形態７に係る虫捕獲装置の一部切欠正面図
【図１６】実施形態８に係る保存庫の正面図
【図１７】その虫捕獲装置の一部切欠正面図
【符号の説明】
【００５７】
１０…保存庫本体  １３…飼育室  １３Ａ…天井面  ２０…冷却器  ２１…庫内ファン  ２２…ヒータ  ４１，２４１…ケーシング  ３０…冷凍装置  ３１…循環ファン  ４０，１４０，２４０，３４０…虫捕獲装置  ４２Ａ…透孔  ４４Ａ，４４Ｃ，２４４Ａ…窓孔  ６０，１６０，２６０，３６０…捕獲パン  ７０，１２０，１２５，１７０，２７０…透明プレート  ７１，１２７，１７１，２７７…突当板  ８０，１８０…誘虫用光源ユニット  ８２…紫外線ＬＥＤ  ８３…白色ＬＥＤ  ８４…ＬＥＤ基盤  ９０…ブラケット  １００…基盤ホルダ  Ｌ，Ｌ１…光軸  Ｆ…害虫  ＳＷ…石鹸水  Ｗ…循環路  Ｘ…飼育ケース
【図１】
2007289007.tif 000003
【図２】
2007289007.tif 000004
【図３】
2007289007.tif 000005
【図４】
2007289007.tif 000006
【図５】
2007289007.tif 000007
【図６】
2007289007.tif 000008
【図７】
2007289007.tif 000009
【図８】
2007289007.tif 000010
【図９】
2007289007.tif 000011
【図１０】
2007289007.tif 000012
【図１１】
2007289007.tif 000013
【図１２】
2007289007.tif 000014
【図１３】
2007289007.tif 000015
【図１４】
2007289007.tif 000016
【図１５】
2007289007.tif 000017
【図１６】
2007289007.tif 000018
【図１７】
2007289007.tif 000019